(57)【要約】  照光スイッチ装置は、押釦と、複数のインジケータレンズと、保持部と、検出部と、複数の発光部と、ベース部と、を有する。押釦は、内部空間および開口を有する。複数のインジケータレンズは、各々が柱状形状を有する。複数のインジケータレンズは、押釦の内部空間に並設されている。保持部は、複数のインジケータレンズの長さ方向に押釦を移動可能に保持する。検出部は、長さ方向への押釦の変位を検出する。複数の発光部の各々は、複数のインジケータレンズの対応するひとつの長さ方向の一端に対向して配置される。不透光樹脂のベース部は、複数のインジケータレンズの側面に密着して側面をベース部で被覆する。ベース部と複数のインジケータレンズとは一体で構成されている。
2018037614.tif 000002
【特許請求の範囲】
【請求項１】
内部空間および開口を有する押釦と、
各々が柱状形状を有し、前記押釦の前記内部空間に並設された複数のインジケータレンズと、
前記複数のインジケータレンズの長さ方向に前記押釦を移動可能に保持する保持部と、
前記長さ方向への前記押釦の変位を検出する検出部と、
各々が、前記複数のインジケータレンズの対応するひとつの前記長さ方向の一端に対向して配置される複数の発光部と、
前記複数のインジケータレンズの側面に密着して前記側面を被覆し、かつ、前記複数のインジケータレンズとは一体で構成されている不透光樹脂のベース部と、を備える、
照光スイッチ装置。
【請求項２】
前記複数のインジケータレンズの各々は、前記一端に、前記複数のインジケータレンズの前記長さ方向に垂直な断面における幅が他の部分よりも狭い狭幅部を有し、
前記ベース部は、前記狭幅部における前記側面を覆い、
前記複数の発光部の隣接する２つの間に設けられ、かつ、前記狭幅部の側方に一端が位置する遮光壁をさらに備える、
請求項１に記載の照光スイッチ装置。
【請求項３】
前記複数のインジケータレンズの隣接する２つの間隙は、前記ベース部により埋められている、
請求項１に記載の照光スイッチ装置。
【請求項４】
前記複数のインジケータレンズの前記隣接する２つの間隙は、前記ベース部により埋められている、
請求項２に記載の照光スイッチ装置。
【発明の詳細な説明】
【技術分野】
【０００１】
本発明は、複数のインジケータレンズと、インジケータレンズの一端に対向して設けられる発光部と、これらを収容する押釦および保持部と、を有する照光スイッチ装置に関する。
【背景技術】
【０００２】
従来の照光スイッチ装置として、たとえば、特許文献１のインジケータ付照光式押し釦スイッチが知られている。この押し釦スイッチでは、ハウジングの開口に操作ノブが収容されている。操作ノブにはスライダおよび仕切り板が結合されている。操作ノブ内には、照光インジケータ部へ導光するインジケータレンズが設けられている。インジケータレンズの先端側が操作ノブの穴に挿入されている。インジケータレンズの後端側がスライダと仕切り板との間に挿入されている。このスライダと仕切り板との間には、インジケータレンズの後端面と対向するように発光ダイオードが設けられている。また、遮光壁が設けられている。スライダおよび仕切り板は、遮光壁と、発光ダイオードを保持するホルダの周面との間に挟まれる。
【先行技術文献】
【特許文献】
【０００３】
【特許文献１】特開平１１−１６２２８０号公報
【発明の概要】
【０００４】
本発明は、意図せぬ光の漏洩を防止すると共に、小型化を図った、照光スイッチ装置を提供する。
【０００５】
本発明の一態様に係る照光スイッチ装置は、押釦と、複数のインジケータレンズと、保持部と、検出部と、複数の発光部と、ベース部と、を有する。押釦は、内部空間および開口を有する。複数のインジケータレンズは、各々が柱状形状を有する。複数のインジケータレンズは、押釦の内部空間に並設されている。保持部は、複数のインジケータレンズの長さ方向に押釦を移動可能に保持する。検出部は、長さ方向への押釦の変位を検出する。複数の発光部の各々は、複数のインジケータレンズの対応するひとつの長さ方向の一端に対向して配置される。不透光樹脂のベース部は、複数のインジケータレンズの側面に密着して側面をベース部で被覆する。ベース部と複数のインジケータレンズとは一体で構成されている。
【０００６】
この実施の形態によれば、インジケータレンズとベース部との間に僅かな隙間も形成されない。よって、この隙間を通り発光部からの光が意図せずに漏れ出すことが防止され、しかも、小型化が図られる。
【０００７】
照光スイッチ装置では、複数のインジケータレンズの各々は、一端に、狭幅部を有してもよい。狭幅部は、複数のインジケータレンズの長さ方向に垂直な断面における幅が狭幅部以外の部分よりも狭い。ベース部は、狭幅部における側面を覆ってもよい。照光スイッチ装置は、複数の発光部の隣接する２つの間に設けられる遮光壁をさらに有してもよい。遮光壁の一端は、狭幅部の側方に位置する。
【０００８】
この実施の形態によれば、隣接する狭幅部間に遮光壁が納まるため、隣接するインジケータレンズの間隔を狭くすることができ、照光スイッチ装置の小型化が図られる。
【０００９】
照光スイッチ装置では、複数のインジケータレンズの隣接する２つの間隙は、ベース部により埋められていてもよい。
【００１０】
この実施の形態によれば、複数のインジケータがベース部により連結されているため、複数のインジケータのそれぞれをベース部に組み付ける必要がなく、作業効率に優れている。
【００１１】
本発明は、意図せぬ光の漏洩を防止すると共に、小型化を図った照光スイッチ装置を提供することができる。
【００１２】
本発明の目的、特徴および利点は、添付図面を参照の下、以下の好適な実施態様の詳細な説明から明らかにされる。
【図面の簡単な説明】
【００１３】
【図１】図１は、本発明の実施の形態１に係る照光スイッチ装置の分解斜視図である。
【図２】図２は、図１の照光スイッチ装置の断面図である。
【図３Ａ】図３Ａは、ベース部を概略的に示す断面図である。
【図３Ｂ】図３Ｂは、図３Ａのベース部にインジケータレンズを二色成形によって形成したインジケータユニットを概略的に示す断面図である。
【発明を実施するための形態】
【００１４】
本発明の実施の形態の説明に先立ち、従来の技術における問題点を簡単に説明する。上記特許文献１の押し釦スイッチでは、インジケータレンズとスライダとは部分的に係合しているだけであり、インジケータレンズと仕切り板との間に至っては何ら接続されていない。このため、インジケータレンズとスライダおよび仕切り板との間には、どうしても微小の隙間が形成される。よって、この隙間を通り発光ダイオードの光が操作ノブの穴を介して外へ漏れ出すおそれがある。
【００１５】
また、押し釦スイッチとして、複数のインジケータレンズが並設したものも存在する。この場合、インジケータレンズとスライダおよび仕切り板との間の隙間が複数、設けられるため、それだけ押し釦スイッチが大型化する。
【００１６】
以下、本発明の実施の形態を、図面を参照しながら具体的に説明する。なお、以下では全ての図面を通じて同一または相当する要素には同一の参照符号を付して、その重複する説明を省略する。また、説明の便宜上、ケースに対し押釦側を上と称し、押釦に対しケース側を下と称する。また、下から上に向かう向きを垂直方向と称する。ただし、照光スイッチ装置の取付方向は任意であり、この取付方向によれば、必ずしもケースに対し押釦が上に位置しているとは限らない。
【００１７】
（実施の形態１）
まず、実施の形態１に係る照光スイッチ装置１０について、図１を参照して説明する。照光スイッチ装置１０は、表示部２１および指標部２２を照光させて、シートヒータおよび空調設備などの機器の動作状態などを表示させる構造のプッシュ式ボタンスイッチである。照光スイッチ装置１０は、押釦２０、インジケータユニット３０、ケース４０、および、プリント基板５０を有している。
【００１８】
押釦２０は、ユーザにより操作される部品であり、内部空間および開口を有する。たとえば、押釦２０は箱形状であり、筒状の側壁２０ａ、および、側壁２０ａの一方開口を覆う上壁２０ｂを有している。上壁２０ｂには、表示部２１、および、１つまたは複数（この実施の形態では、３つ）の指標部２２が設けられている。表示部２１は、ＰＵＳＨなどの操作内容または機器の機能を表すデザインを表している。指標部２２は、ＯＮ／ＯＦＦ、または、複数の段階のうちの動作している段階、などの機器の動作状態を表している。また、側壁２０ａには、押釦２０とインジケータユニット３０とを固定するための、１つまたは複数の係止孔２０ｃが設けられている。
【００１９】
インジケータユニット３０は、押釦２０の内部空間に設けられている。インジケータユニット３０は、複数の（例えば、この実施の形態では３本の）インジケータレンズ３１を有している。また、インジケータユニット３０は、ベース部３２を有している。３本のインジケータレンズ３１の各々は、柱状形状を有する。また、３本のインジケータレンズ３１の各々は、プリント基板５０に搭載された複数の発光部５１のうち対応するものからの光を押釦２０の指標部２２へ導く導光部である。この実施の形態では、３本のインジケータレンズ３１が押釦２０内に並設されている。具体的には、この実施の形態では、３本のインジケータレンズ３１は、その長軸（長さ方向の軸）が互いに平行であり、かつ、その長軸が同一平面内に存在するように配置されている。３本のインジケータレンズ３１は、第１インジケータレンズ３１１、第２インジケータレンズ３１２および第３インジケータレンズ３１３により構成されている。第２インジケータレンズ３１２は、３本のインジケータレンズ３１の並設方向において、第１インジケータレンズ３１１と第３インジケータレンズ３１３との間に配置されている。並設方向とは、この実施の形態では、互いに平行な３本のインジケータレンズ３１の長軸が存在する平面内において、３本のインジケータレンズ３１の長軸と垂直な方向を意味する。なお、第１インジケータレンズ３１１、第２インジケータレンズ３１２および第３インジケータレンズ３１３をそれぞれ区別する必要がない場合などには、単に、インジケータレンズ３１と称することもある。
【００２０】
ベース部３２は、複数のインジケータレンズ３１を保持すると共に、インジケータレンズ３１を遮光する。ベース部３２は、各インジケータレンズ３１の側面に密着して側面を被覆する。また、ベース部３２は、複数のインジケータレンズ３１の間隙を満たし、インジケータレンズ３１と一体的に設けられている。具体的には、ベース部３２とインジケータレンズ３１とは、二色成形により形成される。このことにより、これらの間の密着性が高い。
【００２１】
ケース４０は、押釦２０の土台であり、本体４１および保持部４２を有している。本体４１は、たとえば、平板形状であり、その上面に保持部４２が設けられている。保持部４２は、インジケータレンズ３１の長さ方向（この実施の形態では、上下方向）に押釦２０を移動可能に保持する。保持部４２は、たとえば、上端および下端の両方が開口する筒形状を有している。
【００２２】
プリント基板５０には、電子回路（図示せず）が構成されている。プリント基板５０は、板状体であり、その表面には、発光部５１およびスイッチ部５２などの電子部品が固定されている。電子部品間は配線パターンで接続されている。発光部５１は、指標部２２を照光するための光源である。複数（この実施の形態では、３つ）の発光部５１が、複数のインジケータレンズ３１の対応するひとつの長さ方向の一端に対向して配置される。スイッチ部５２は、長さ方向への押釦２０の変位を検出する検出部である。スイッチ部５２は、発光部５１が接続される電子回路の開閉部である。たとえば、スイッチ部５２は、押釦２０の下端に設けられた突部（図示せず）に対向して配置される。押釦２０が操作された際に、突部がスイッチ部５２を押し、スイッチ部５２は電子回路を開閉する。
【００２３】
次に、各部の詳細について、図２を参照して説明する。押釦２０の上壁２０ｂには、複数（この実施の形態では、３つ）の孔部２３が設けられている。孔部２３は、上壁２０ｂの外表面と内表面との間を貫通する。押釦２０の側壁２０ａの一部または全部には、溝部２４が設けられている。溝部２４は、側壁２０ａの下面から上側に向かって窪み、上下方向に延びている。
【００２４】
押釦２０は、たとえば、二層構造であり、第１層部２５および第２層部２６を有する。第１層部２５は、第２層部２６の外側に配置されている。第１層部２５が押釦２０の外表面を構成し、第２層部２６が押釦２０の内表面を構成する。ただし、第２層部２６が押釦２０の外表面の一部を構成していてもよい。
【００２５】
第１層部２５は第１側壁２５ａおよび第１上壁２５ｂを有している。第２層部２６は第２側壁２６ａおよび第２上壁２６ｂを有している。第１上壁２５ｂは第２上壁２６ｂ上に重ねられ、第１上壁２５ｂおよび第２上壁２６ｂにより押釦２０の上壁２０ｂが構成される。第１側壁２５ａは第２側壁２６ａの外側を覆い、第１側壁２５ａおよび第２側壁２６ａにより押釦２０の側壁２０ａが構成される。ただし、第１側壁２５ａは第２側壁２６ａの全周を覆っていなくてもよい。
【００２６】
第１層部２５は、透光材で形成されている。透光材としては、たとえば、白色の樹脂が挙げられ、この樹脂にはポリカーボネートが例示される。第１層部２５の上壁２０ｂの表面には、たとえば、表示部２１（図１）を除いて黒色の表面塗装２７が施されている。これにより、ＰＵＳＨなどの表示部２１が押釦２０の外表面に現れる。
【００２７】
第２層部２６は、不透光材で形成されている。不透光材としては、たとえば、黒色の樹脂が挙げられ、この樹脂にはポリカーボネートが例示される。
【００２８】
インジケータレンズ３１は、透光材で形成されている。透光材としては、たとえば、透明またはほぼ透明の樹脂が挙げられる。この樹脂にはアクリルおよびポリカーボネートが例示される。複数のインジケータレンズ３１は、互いに間隔を空けて、長軸が互いに平行になるように並設されている。インジケータレンズ３１は、上下方向に延びている、すなわち、インジケータレンズ３１の長軸は上下方向を向いている。インジケータレンズ３１は、上部分３１ａ、下部分３１ｃ、および、これらの間の中部分３１ｂを有している。
【００２９】
上部分３１ａは、角柱や円柱などの柱状形状であって、押釦２０の孔部２３に挿入されている。上部分３１ａの上面は、孔部２３を介して外部に現れて、指標部２２として機能する。並設方向における上部分３１ａの幅は中部分３１ｂより狭い。ただし、並設方向における上部分３１ａの幅は中部分３１ｂと同じであってもよい。また、並設方向および長軸方向に直交する方向における上部分３１ａの幅は、中部分３１ｂと同じ、または、中部分３１ｂより狭い。さらに、並設方向における上部分３１ａの幅は、製造時の離型のために、下方に向かって広くなっていてもよい。さらに、並設方向および長軸方向に直交する方向における上部分３１ａの幅は、製造時の離型のために、下方に向かって広くなっていてもよい。
【００３０】
下部分３１ｃは、並設方向に幅が狭い狭幅部である。下部分３１ｃは、角柱や円柱などの柱状形状である。並設方向において下部分３１ｃは中部分３１ｂから窪み、並設方向における下部分３１ｃの幅が中部分３１ｂ（他の部分）より狭くなっている。この窪みは、隣接する下部分３１ｃの間隔が拡がるように設けられている。
【００３１】
つまり、下部分３１ｃは、一方の窪み、および、一方の窪みに対して並設方向に下部分３１ｃの反対側に位置する他方の窪みを有している。この２つの窪みのうち、一方の窪みが隣接するインジケータレンズ３１に対向し、他方の窪みが隣接するインジケータレンズ３１に対向しない場合、一方の窪みが他方の窪みより大きく窪む。この場合、下部分３１ｃは、並設方向において隣接するインジケータレンズ３１から離れるように位置し、隣接する下部分３１ｃの間隔が拡がる。下部分３１ｃの長軸は、並設方向において中部分３１ｂの長軸より隣接するインジケータレンズ３１から離れる方向に位置し、たとえば、上部分３１ａの長軸と一致する。なお、窪みがインジケータレンズ３１に対向するとは、これらの間にベース部３２および遮光壁４３などの他の部材を挟んでこれらが対向する場合も含む。
【００３２】
たとえば、第１インジケータレンズ３１１および第３インジケータレンズ３１３では、一方の窪みが第２インジケータレンズ３１２に対向し、他方の窪みが他のインジケータレンズ３１に対向しない。この場合、第２インジケータレンズ３１２に対向する側の一方の窪みの深さは、他方の窪みより深い。よって、第１インジケータレンズ３１１と第２インジケータレンズ３１２との間隔、および、第３インジケータレンズ３１３と第２インジケータレンズ３１２との間隔が拡がる。
【００３３】
また、２つの窪みのうち、両方の窪みが隣接するインジケータレンズ３１に対向する場合、両方の窪みの深さは同じである。この場合、下部分３１ｃは、並設方向において中部分３１ｂの中央に位置する。下部分３１ｃの軸は、たとえば、並設方向において中部分３１ｂの軸および上部分３１ａの軸と一致する。
【００３４】
たとえば、第２インジケータレンズ３１２では、一方の窪みが第１インジケータレンズ３１１に対向し、他方の窪みが第３インジケータレンズ３１３に対向する。この場合、第１インジケータレンズ３１１に対向する側の一方の窪みの深さは、第３インジケータレンズ３１３に対向する側の他方の窪みの深さと同じに設けられる。
【００３５】
並設方向および長軸方向に直交する方向における下部分３１ｃの幅は、中部分３１ｂと同じ、または、中部分３１ｂより狭い。また、下部分３１ｃの幅は、並設方向において、製造時の離型のために、下方に向かって狭くなっていてもよい。また、下部分３１ｃの幅は、並設方向および長軸方向に直交する方向において、製造時の離型のために、下方に向かって狭くなっていてもよい。
【００３６】
中部分３１ｂは、角柱や円柱などの柱状形状であって、並設方向および長軸方向に直交する方向において上部分３１ａおよび下部分３１ｃより上下方向に長く延びる。また、並設方向における中部分３１ｂの幅は、製造時の離型のために、下方に向かって狭くなっていてもよい。また、並設方向および長軸方向に直交する方向における中部分３１ｂの幅は、製造時の離型のために、下方に向かって狭くなっていてもよい。
【００３７】
ベース部３２は、不透光材で形成されている。不透光材としては、たとえば、黒色の樹脂が挙げられ、この樹脂にはＡＢＳ樹脂が例示される。ベース部３２は、直方体形状であって、その側面に１つまたは複数の係合突起３２ａが設けられており、押釦２０の内部空間に嵌められている。この際、係合突起３２ａが、これに対応する押釦２０の係止孔２０ｃに係合し、ベース部３２と押釦２０とが固定される。なお、ベース部３２は直方体以外の任意の形状であってもよい。また、ベース部３２と押釦２０との固定は、係合突起３２ａおよび係止孔２０ｃによるものに限定されず、スナップフィットによる係合、圧入、あるいは接着剤などの公知の接合法を用いることができる。
【００３８】
ベース部３２の側面と押釦２０の側壁２０ａとの間には隙間が設けられており、この隙間は押釦２０の側壁２０ａの溝部２４と繋がり、隙間の一部は溝部２４として機能する。これにより、溝部２４はインジケータユニット３０を取り囲む。
【００３９】
ベース部３２には、複数（この実施の形態では、３本）のインジケータレンズ３１が設けられ、インジケータレンズ３１の側面はベース部３２により被覆されている。ベース部３２とインジケータレンズ３１との間に隙間が無いように、インジケータレンズ３１とベース部３２とは一体で構成されている。
【００４０】
インジケータレンズ３１の上部分３１ａがベース部３２の上面から上方へ突出しており、下部分３１ｃの一部がベース部３２の下面から下方へ突出している。ただし、下端部の一部がベース部３２の下面から下方へ突出しておらず、下端部の下面とベース部３２の下面とが平坦に設けられていてもよい。
【００４１】
ベース部３２には、１つまたは複数（この実施の形態では、２つ）の凹部３３が設けられている。凹部３３は、ベース部３２の下面から上方へ窪み、隣接するインジケータレンズ３１の間に配置される。凹部３３の底がインジケータレンズ３１の下部分３１ｃの上端および中部分３１ｂの下端より下方に位置する。これにより、凹部３３は、中部分３１ｂより下方であって、隣接する下部分３１ｃの間に収まる。
【００４２】
ケース４０は、プリント基板５０上に配置される。ケース４０の保持部４２は、上下方向に延びている筒状の壁であって、押釦２０の側壁２０ａの溝部２４、および、ベース部３２と押釦２０の側壁２０ａとの間の溝部２４に挿入される。これにより、押釦２０は保持部４２により保持される。また、保持部４２に沿って溝部２４がスライドすることにより、押釦２０は保持部４２に対して上下方向に移動することができる。このような押釦２０と保持部４２とにより囲まれた空間にインジケータユニット３０が収容される。
【００４３】
遮光壁４３は、ケース４０に設けられ、隣接する発光部５１の間に配置されている。遮光壁４３は、インジケータレンズ３１の下面に対向して配置される発光部５１の光が他のインジケータレンズ３１に入射されることを防止する。遮光壁４３は、プリント基板５０上から上方に延びており、ベース部３２の凹部３３に挿入されている。
【００４４】
遮光壁４３の高さは、押釦２０の上下移動に関わらず、常に凹部３３を囲むベース部３２と遮光壁４３とが、並設方向に見た場合に重なるように設定されている。これにより、遮光壁４３の上端（先端）は、下部分３１ｃ（狭幅部）の側方に位置し、下部分３１ｃ（狭幅部）の上端と下端との間に位置する。
【００４５】
発光部５１は、たとえば、ＬＥＤ（発光ダイオード）であり、インジケータレンズ３１の下面に対向するように配置されている。隣接するインジケータレンズ３１の間には遮光壁４３が設けられている。遮光壁４３の下端はプリント基板５０上に接している。これにより、隣接する発光部５１の間が遮光壁４３およびベース部３２により遮断される。
【００４６】
次に、インジケータユニット３０の製造方法について、図３Ａおよび図３Ｂを参照して説明する。まず、図３Ａに示すように、たとえば、不透光性の樹脂を用いた射出成形などの樹脂成形によって、３本の貫通孔６２ａが設けられたベース部３２を形成する。次に、透光性の樹脂を用いた二色成形によって、ベース部３２の貫通孔６２ａに設けられ、かつ、貫通孔６２ａから上部分３１ａおよび下部分３１ｃが突出するインジケータレンズ３１を形成する。これにより、ベース部３２は、インジケータレンズ３１を被覆し、インジケータレンズ３１間を満たす。
【００４７】
このように、ベース部３２およびインジケータレンズ３１が二色成形されることにより、これらが一体に成形されたインジケータユニット３０が形成される。これにより、インジケータレンズ３１の側面とこれを被覆するベース部３２との間には隙間が形成されない。
【００４８】
次に、照光スイッチ装置１０の使用について説明する。ユーザにより押釦２０が押されると、押釦２０は保持部４２に保持されながら下方に移動する。これに伴い、押釦２０の突部がスイッチ部５２を押し、スイッチ部５２は電子回路を開閉する。これにより、閉じられた電子回路に繋がる発光部５１が発光する。この光は、インジケータレンズ３１の下面に照射され、インジケータレンズ３１により下部分３１ｃから中部分３１ｂを介して上部分３１ａへ導かれ、インジケータレンズ３１の上面から発せられる。これにより、指標部２２が照光する。
【００４９】
このように、上記照光スイッチ装置１０によれば、垂直方向に、発光部５１とインジケータレンズ３１の下面との間には、遮光壁４３が設けられている。並設方向に見た場合、遮光壁４３はベース部３２と重なる。このため、発光部５１からの光が隣接するインジケータレンズ３１へ漏れることが防止される。
【００５０】
また、インジケータレンズ３１とベース部３２との間に隙間が設けられないため、インジケータレンズ３１に導かれる光は隙間に漏れることがない。このため、隙間から漏れ出る光を遮光するために、上下方向に直交する方向（並設方向、ならびに、並設方向および長軸方向に直交する方向）において上部分３１ａのサイズを中部分３１ｂより小さくし、上部分３１ａを中部分３１ｂの中央に配置し、隙間を押釦２０の上壁２０ｂで塞ぐ必要がない。よって、押釦２０の上部分３１ａのサイズおよび位置を中部分３１ｂの範囲であれば自由に設定することができる。
【００５１】
また、ベース部３２は、インジケータレンズ３１の側面に密着して該側面を被覆している。また、ベース部３２は、インジケータレンズ３１と一体で構成されている。これらにより、インジケータレンズ３１とベース部３２との間に隙間が設けられず、インジケータユニット３０、延いては、照光スイッチ装置１０の小型化が図られる。
【００５２】
さらに、インジケータレンズ３１とベース部３２との間に隙間が設けられないことにより、遮光壁４３の高さを低くすることができる。これにより、並設方向における遮光壁４３の厚みを薄くすることができ、インジケータユニット３０、延いては、照光スイッチ装置１０の小型化が図られる。
【００５３】
また、ベース部３２は、インジケータレンズ３１を被覆し、インジケータレンズ３１間を満たす。このため、複数のインジケータレンズ３１のそれぞれを覆う被覆部材、および、隣接する被覆部材間の間隔が必要なく、インジケータユニット３０、延いては、照光スイッチ装置１０の小型化が図られる。
【００５４】
さらに、インジケータレンズ３１の下部分３１ｃが狭幅部であり、下部分３１ｃが間に遮光壁４３が挿入される凹部３３が設けられる。このため、隣接するインジケータレンズ３１間の間隔を狭くすることができ、インジケータユニット３０、延いては、照光スイッチ装置１０の小型化が図られる。
【００５５】
また、二色成形によって、複数のインジケータレンズ３１が同時に形成されると共に、これらがベース部３２に設けられた、インジケータユニット３０が形成される。よって、複数のインジケータレンズ３１のそれぞれをベース部３２に組み付ける作業が必要なく、作業効率に優れている。
【００５６】
上記説明から、当業者にとっては、本発明の多くの改良や他の実施の形態が明らかである。従って、上記説明は、例示としてのみ解釈されるべきであり、本発明を実行する最良の態様を当業者に教示する目的で提供されたものである。本発明の精神を逸脱することなく、その構造および機能の少なくとも一方の詳細を実質的に変更できる。
【産業上の利用可能性】
【００５７】
本発明の照光スイッチ装置は、意図せぬ光の漏洩を防止すると共に、小型化を図った、照光スイッチ装置等として有用である。
【符号の説明】
【００５８】
１０  照光スイッチ装置
２０  押釦
２０ａ  側壁
２０ｂ  上壁
２０ｃ  係止孔
２１  表示部
２２  指標部
２３  孔部
２４  溝部
２５  第１層部
２５ａ  第１側壁
２５ｂ  第１上壁
２６  第２層部
２６ａ  第２側壁
２６ｂ  第２上壁
２７  表面塗装
３０  インジケータユニット
３１  インジケータレンズ（複数のインジケータレンズ）
３１ａ  上部分
３１ｂ  中部分
３１ｃ  下部分（狭幅部）
３１１  第１インジケータレンズ
３１２  第２インジケータレンズ
３１３  第３インジケータレンズ
３２  ベース部
３２ａ  係合突起
３３  凹部
４０  ケース
４１  本体
４２  保持部
４３  遮光壁
５０  プリント基板
５１  発光部（複数の発光部）
５２  スイッチ部（検出部）
６２ａ  貫通孔
【図１】
2018037614.tif 000003
【図２】
2018037614.tif 000004
【図３Ａ】
2018037614.tif 000005
【図３Ｂ】
2018037614.tif 000006
【手続補正書】
【提出日】平成31年2月1日(2019.2.1)
【手続補正１】
【補正対象書類名】明細書
【補正対象項目名】００１０
【補正方法】変更
【補正の内容】
【００１０】
この実施の形態によれば、複数のインジケータレンズがベース部により連結されているため、複数のインジケータレンズのそれぞれをベース部に組み付ける必要がなく、作業効率に優れている。
【手続補正２】
【補正対象書類名】明細書
【補正対象項目名】００４０
【補正方法】変更
【補正の内容】
【００４０】
インジケータレンズ３１の上部分３１ａがベース部３２の上面から上方へ突出しており、下部分３１ｃの一部がベース部３２の下面から下方へ突出している。ただし、下部分３１Ｃがベース部３２の下面から下方へ突出しておらず、下部分３１Ｃの下面とベース部３２の下面とが平坦に設けられていてもよい。
【手続補正３】
【補正対象書類名】特許請求の範囲
【補正対象項目名】全文
【補正方法】変更
【補正の内容】
【特許請求の範囲】
【請求項１】
内部空間および開口を有する押釦と、
各々直線状で柱状形状を有し、前記押釦の前記内部空間に各長軸が互いに平行に並設された複数のインジケータレンズと、
前記複数のインジケータレンズの長さ方向に前記押釦を移動可能に保持する保持部と、
前記長さ方向への前記押釦の変位を検出する検出部と、
各々が、前記複数のインジケータレンズの対応するひとつの前記長さ方向の一端に対向して配置される複数の発光部と、
前記複数のインジケータレンズの前記一端の一部と他端の一部を除き全側面に密着して前記全側面を被覆し、かつ、前記複数のインジケータレンズとは一体で構成されている不透光樹脂のベース部と、を備える、
照光スイッチ装置。
【請求項２】
前記複数のインジケータレンズの各々は、前記一端に、前記複数のインジケータレンズの前記長さ方向に垂直かつ並設する方向の断面における幅が他の部分よりも狭い狭幅部を有し、
前記ベース部は、前記狭幅部における前記一端の一部を除く前記全側面を覆い、
前記複数の発光部の隣接する２つの間に設けられ、かつ、前記狭幅部の側方に一端が位置する遮光壁をさらに備える、
請求項１に記載の照光スイッチ装置。
【請求項３】
前記複数のインジケータレンズの隣接する２つの間隙は、前記ベース部により埋められている、
請求項１に記載の照光スイッチ装置。
【請求項４】
前記複数のインジケータレンズの隣接する２つの間隙は、前記ベース部により埋められている、
請求項２に記載の照光スイッチ装置。
【請求項５】
前記狭幅部の前記他の部分から狭くなる２つの窪みの深さにおいて、隣接する前記複数のインジケータレンズのひとつと対向する側の一方の前記窪みの深さが、他の前記複数のインジケータレンズに対向しない側の他方の前記窪みの深さよりも深い請求項２に記載の照光スイッチ装置。
【請求項６】
前記狭幅部の前記他の部分から狭くなる２つの前記窪みの深さにおいて、両方の前記窪みが隣接する前記複数のインジケータレンズに対向する場合、前記両方の前記窪みの深さは同じである請求項５に記載の照光スイッチ装置。
【国際調査報告】
2018037614.tif 000007
2018037614.tif 000008
2018037614.tif 000009